(57)【要約】【課題】デジタル放送からアナログ放送に切り替わった場合でも、最低限の情報を表示し続けることができるようにする。【解決手段】デジタル放送の受信時にデマルチプレクサ３からシステムコントローラ８に供給される付随データを表示制御回路９に出力してモニタ１０に表示するとともに、その付随データの少なくとも一部をメモリ１１に記憶しておき、デジタル放送からアナログ放送への切り替えが行われた後は、メモリ１１に記憶しておいた付随データを表示制御回路９に供給してモニタ１０に表示するようにすることにより、デジタル放送の受信が困難なエリアに入ってデジタル放送からアナログ放送への切り替えが行われた場合でも、チャンネルを変更しない限り放送局名や放送局ジャンル名などはモニタ１０に表示し続けるようにする。【選択図】　　　　図１
2004135219.tif 000002
【特許請求の範囲】
【請求項１】
音楽およびそれに付随するデータを含むデジタル放送を受信するとともに、当該デジタル放送の受信が困難なエリアにおいてはアナログ放送に切り替えて受信するように成されたデジタル放送受信装置において、
上記デジタル放送の受信時に画面表示されているデータの少なくとも一部を記録媒体に記憶しておき、上記デジタル放送から上記アナログ放送への切り替えが行われた後は、上記記録媒体に記憶しておいたデータに基づいて、上記デジタル放送の受信時に画面表示されていたデータの少なくとも一部を表示し続けるように制御することを特徴とするデジタル放送の画面表示方法。
【請求項２】
上記アナログ放送への切替後に表示し続けるデータは、上記デジタル放送受信装置に対してユーザが明示的な操作をしない限り変わらないデータであり、上記明示的な操作が行われるまで当該データを表示し続けることを特徴とする請求項１に記載のデジタル放送の画面表示方法。
【請求項３】
上記アナログ放送への切替後に表示し続けるデータは、放送局名および放送局ジャンル名の少なくとも一方であることを特徴とする請求項２に記載のデジタル放送の画面表示方法。
【請求項４】
上記アナログ放送への切替後に表示し続けるデータは、上記デジタル放送受信装置に対してユーザが明示的な操作をしなくても変わることのあるデータであり、上記デジタル放送中に含まれる付随データによってあらかじめ定められた切替タイミングまで当該データを表示し続けるように制御することを特徴とする請求項１に記載のデジタル放送の画面表示方法。
【請求項５】
上記デジタル放送の受信時と上記アナログ放送の受信時とで画面表示の態様を変えるようにしたことを特徴とする請求項１〜４の何れか１項に記載のデジタル放送の画面表示方法。
【請求項６】
上記デジタル放送の受信時と上記アナログ放送の受信時とでバックライトの表示色を変えるようにしたことを特徴とする請求項５に記載のデジタル放送の画面表示方法。
【請求項７】
上記デジタル放送の受信時と上記アナログ放送の受信時とで表示文字のフォントを変えるようにしたことを特徴とする請求項５に記載のデジタル放送の画面表示方法。
【請求項８】
上記デジタル放送の受信時と上記アナログ放送の受信時とで受信波形の表示を変えるようにしたことを特徴とする請求項５に記載のデジタル放送の画面表示方法。
【請求項９】
音楽およびそれに付随するデータを含むデジタル放送を受信するとともに、当該デジタル放送の受信が困難なエリアにおいてはアナログ放送に切り替えて受信するように成されたデジタル放送受信装置であって、
上記デジタル放送中に含まれるデータの少なくとも一部を記憶するデータ記憶手段と、
上記デジタル放送の受信時は、当該受信されたデジタル放送中に含まれるデータに基づいて画面表示を行うとともに、上記アナログ放送への切替後は、上記データ記憶手段に記憶されているデータに基づいて画面表示を行うように制御する表示制御手段とを備えたことを特徴とするデジタル放送受信装置。
【請求項１０】
上記表示制御手段は、上記デジタル放送受信装置に対してユーザが明示的な操作をしない限り変わらないデータを、上記アナログ放送への切替から上記明示的な操作が行われるまで表示し続けるように制御することを特徴とする請求項９に記載のデジタル放送受信装置。
【請求項１１】
上記表示制御手段は、上記デジタル放送受信装置に対してユーザが明示的な操作をしなくても変わることのあるデータを、上記アナログ放送への切替から上記デジタル放送中に含まれる付随データによってあらかじめ定められた切替タイミングまで表示し続けるように制御することを特徴とする請求項９に記載のデジタル放送受信装置。
【請求項１２】
上記表示制御手段は更に、上記デジタル放送の受信時と上記アナログ放送の受信時とで画面表示の態様を変えるように制御することを特徴とする請求項９〜１１の何れか１項に記載のデジタル放送受信装置。
【発明の詳細な説明】
【０００１】
【発明の属する技術分野】
本発明はデジタル放送の画面表示方法およびデジタル放送受信装置に関し、特に、アメリカの地上波デジタルラジオ放送であるＩＢＯＣ（Ｉｎ−Ｂａｎｄ　Ｏｎ−Ｃｈａｎｎｅｌ）において、デジタル放送とアナログ放送との切り替わりに応じて画面表示を制御する方法に用いて好適なものである。
【０００２】
【従来の技術】
【特許文献１】特開２００１−２８５１０１号公報
ＡＭ／ＦＭラジオの周波数帯域におけるデジタル音声放送を供給するために提案されているシステムでは、高音質（デジタルＦＭではＣＤ同等、デジタルＡＭではアナログＦＭ同等）、種々のデータサービス、現在のアナログ放送波より高い受信可能性（フェージングやマルチパス環境下でも高品質な音声の受信）が期待されている。
【０００３】
デジタルラジオ放送では、音楽以外にもデータを放送し、受信端末の表示装置に文字等を表示することが可能である。放送局から放送され受信端末にて表示されるデータの中で代表的なものは、曲名、アーティスト名、ジャンル名などである。この他にも、従来ＲＢＤＳ（Ｒａｄｉｏ　Ｂｒｏａｄｃａｓｔｉｎｇ　Ｄａｔａ　Ｓｙｓｔｅｍ）で提供されていたような放送局名、放送局ジャンル名なども受信端末に表示され得る。
【０００４】
しかしながら、完全にデジタル音声放送への移行が完了するまでは、放送局の多くは、使用が許可されている同じ帯域内において、アナログ信号とデジタル信号とを同時に送信する中間措置が必要である。このような中間措置に対応するシステムとして、２００３年の秋よりアメリカでサービス開始が予定されている地上波デジタルラジオ放送であるＩＢＯＣが、現在開発されている。
【０００５】
このＩＢＯＣは、従来のアナログ放送と同じ周波数帯でデジタル放送を行うことが特徴である。すなわち、図５に示すように、既存のアナログＡＭ／ＦＭ波のサイドバンドにデジタル変調波を追加することにより、現行のアナログラジオ帯域で（Ｉｎ−Ｂａｎｄ）、現行のダイヤル位置のまま（Ｏｎ−Ｃｈａｎｎｅｌ）デジタルラジオ放送を送信する。同じ周波数帯に重畳されるアナログ放送とデジタル放送の音声部分は、共に同じ放送プログラムになっている。
【０００６】
ＩＢＯＣの受信端末ではこのような特徴を利用して、アナログ−デジタルのシームレス切替を行うことが可能である。例えば、通常は高品位なデジタル放送を受信して再生するが、デジタル放送の受信が困難なエリアに入ったとき、すなわち、デジタル放送の受信強度が一定値より小さくなったときに、デジタル放送からアナログ放送へと自動的に切り替える。
【０００７】
【発明が解決しようとする課題】
しかしながら、デジタル放送からアナログ放送に切り替わると、デジタル放送の受信時に豊富に表示されていた付随データが殆ど表示されなくなってしまうという問題があった。また、デジタル放送からアナログ放送に切り替わったことにユーザが気づかず、音質が急に悪くなったとの印象をユーザに与えてしまうことがあるという問題もあった。
【０００８】
本発明は、このような問題を解決するために成されたものであり、デジタル放送からアナログ放送に切り替わった場合でも、最低限の情報を表示し続けることができるようにすることを目的とする。
また、本発明は、デジタル放送からアナログ放送に切り替わったということをユーザが感覚的に認識できるようにすることも目的としている。
【０００９】
【課題を解決するための手段】
上記した課題を解決するために、本発明では、デジタル放送の受信時に画面表示されているデータの少なくとも一部を記録媒体に記憶しておき、デジタル放送からアナログ放送への切り替えが行われた後は、記録媒体に記憶しておいたデータに基づいて、デジタル放送の受信時に画面表示されていたデータの少なくとも一部を表示し続けるように制御する。
本発明の他の態様では、デジタル放送の受信時とアナログ放送の受信時とで画面表示の態様を変えるようにしている。
【００１０】
上記のように構成した本発明によれば、デジタル放送の受信が困難なエリアに入ってデジタル放送からアナログ放送への切り替えが行われた場合でも、デジタル放送受信装置に対してユーザが明示的な操作をしない限り変わらないデータ（放送局名や放送局ジャンル名など）が、当該明示的な操作が行われるまで表示し続けるようになる。または、デジタル放送受信装置に対してユーザが明示的な操作をしなくても放送プログラムに応じて変わることのあるデータ（曲名、アーティスト名、ジャンル名など）が、デジタル放送中に含まれる付随データによってあらかじめ定められた切替タイミングまで表示し続けるようになる。
【００１１】
また、デジタル放送の受信時とアナログ放送の受信時とで画面表示の態様を変えるようにした場合には、その画面表示を見るだけで現在受信中の放送がデジタル／アナログの何れであるかを直感的に認識できるようになる。
【００１２】
【発明の実施の形態】
以下、本発明の一実施形態を図面に基づいて説明する。
図１は、本実施形態によるデジタル放送受信装置の構成を示すブロック図である。図１に示すように、本実施形態のデジタル放送受信装置は、アンテナ１、チューナ２、デマルチプレクサ３、デコーダ４、音声処理回路５、スピーカ６、操作部７、システムコントローラ８、表示制御回路９、モニタ１０およびメモリ１１を備えて構成されている。
【００１３】
アンテナ１は、アナログ放送とデジタル放送とが同じ周波数帯に重畳されたＩＢＯＣの地上波デジタル放送を受信する。チューナ２は、システムコントローラ８からの指示に基づいて、アンテナ１を介して受信した信号中から、ユーザが操作部７を操作して選択した１つのチャンネルに対応する多重化データを抽出し、この抽出した多重化データをデマルチプレクサ３に出力する。
【００１４】
デマルチプレクサ３は、チューナ２から供給されるＩＢＯＣの多重化データを、本放送番組のデータとその付随データとに分離する。本放送番組に関しては、アナログ放送とデジタル放送とに分離する。デコーダ４は、放送局での変調方式に対応した復調方式で本放送番組のデータを復調し、所定の誤り訂正処理を行った後、その結果得られるデータを音声処理回路５に出力する。
【００１５】
音声処理回路５は、デコーダ４より供給される音声データに対して所定の処理を行うことにより、ＰＣＭオーディオデータを生成する。そして、そのＰＣＭオーディオデータをアナログ信号に変換するとともに、当該アナログ信号を所定の増幅率で増幅して出力する。スピーカ６は、音声処理回路５より出力されたアナログ音声信号に対応する音声を出力する。
【００１６】
操作部７は、受信周波数（チャンネル）の切り替え操作やボリューム操作、その他の各種操作を行うためのものであり、例えばリモートコントローラ（リモコン）により構成される。操作部７の操作情報はシステムコントローラ８に与えられ、当該システムコントローラ８によって制御される。例えば、チャンネル切替情報はシステムコントローラ８からチューナ２に供給され、指定されたチャンネルの放送が選択的に受信される。
【００１７】
システムコントローラ８は、本実施形態のデジタル放送受信装置の全体を制御するものである。例えば、上記デマルチプレクサ３で分離された付随データは、システムコントローラ８に取り込まれる。システムコントローラ８は、この付随データを表示制御回路９に供給することにより、現在受信中の放送局名や放送局ジャンル名、現在視聴中の曲名やアーティスト名、ジャンル名などをモニタ１０に表示する。
【００１８】
また、システムコントローラ８は、音声処理回路５から出力される検波信号（受信電界強度検出信号）に応じて、アナログ放送とデジタル放送との切り替えを行う。すなわち、通常は高品位なデジタル放送を処理して再生するようにチューナ２、デマルチプレクサ３およびデコーダ４を制御するが、デジタル放送の受信強度が一定値より小さくなったときに、デジタル放送からアナログ放送へと自動的に切り替えて処理するように制御する。
【００１９】
メモリ１１は、デジタル放送の受信時にモニタ１０に画面表示されている付随データの少なくとも一部を記憶する。例えば、上述した放送局名、放送局ジャンル名、曲名、アーティスト名、ジャンル名などのうち、少なくとも現在受信中の放送局名、放送局ジャンル名を記憶する。
【００２０】
システムコントローラ８は、デジタル放送の受信時には付随データがデマルチプレクサ３より供給されるので、上述したようにその付随データを表示制御回路９に供給してモニタ１０に表示する。一方、デジタル放送からアナログ放送への切り替えが行われた後は、デマルチプレクサ３から付随データの供給は行われなくなる。この場合は、メモリ１１に記憶しておいたデータを表示制御回路９に供給することにより、デジタル放送の受信時に画面表示されていた付随データの少なくとも一部（現在受信中の放送局名、放送局ジャンル名）をモニタ１０に表示し続けるように制御する。
【００２１】
図２は、デジタル放送からアナログ放送への切替時にモニタ１０に表示される画面の例を示す図である。図２（ａ）は、デジタル放送の受信時に表示される画面を示している。この図２（ａ）に示すように、デジタル放送の受信時には、現在受信中の放送局名や放送局ジャンル名、現在視聴中の曲名やアーティスト名、ジャンル名、アルバム名など豊富な情報が表示されている。また、デジタル放送の受信中であることが視覚的に分かるように、デジタル波形の表示がなされている。
【００２２】
図２（ｂ）は、デジタル放送からアナログ放送に切り替えられた後の表示画面を示している。上述のように、アナログ放送に切り替えられると付随データの受信はなくなるが、この場合でも、図２（ｂ）に示すように現在受信中の放送局名と放送局ジャンル名は表示され続ける。なお、受信周波数についてはアナログ放送でも付随データの有無と関係なく表示が可能である。
【００２３】
また、アナログ放送に切り替えられた後は、アナログ放送の受信中であることが視覚的に分かるように、波形表示がアナログウェーブに切り替えられる。さらに、図面中からは分かりにくいが、バックライトの表示色や表示文字のフォントについても、デジタル放送からアナログ放送への切替に応じて変化している。
【００２４】
図２（ｃ）は、アナログ放送の受信中にチャンネルを切り替えた後の表示画面を示している。この場合は、メモリ１１の記憶データに基づいてそれまで表示され続けていた放送局名と放送局ジャンル名とが消える。上述したシステムコントローラ８は、このような制御も行っている。すなわち、システムコントローラ８は、操作部７からチャンネル切替の操作情報が入力されたら、メモリ１１の記憶データを表示制御回路９に供給するのを中止する。
【００２５】
図３は、上記システムコントローラ８による動作の一例を示すフローチャートである。図３において、システムコントローラ８は、初期状態ではデジタル放送を受信して再生するようにチューナ２、デマルチプレクサ３およびデコーダ４を制御する（ステップＳ１）。そして、そのデジタル放送中に含まれている付随データを表示制御回路９に供給して各種情報をモニタ１０に表示する（ステップＳ２）。
【００２６】
また、システムコントローラ８は、受信中のデジタル放送に含まれている付随データの少なくとも一部（例えば放送局名と放送局ジャンル名）をメモリ１１に記憶する（ステップＳ３）。このとき、付随データの内容は本放送番組の内容に応じて変化するが、少なくとも最新の（現在受信中の）情報をメモリ１１に記憶しておけば良い。
【００２７】
このデジタル放送の受信中に、システムコントローラ８は、デジタル放送の受信強度が所定値より小さくなったかどうかを監視する（ステップＳ４）。受信強度が所定値より小さくなっていない場合はステップＳ１に戻り、デジタル放送の再生を継続する。
【００２８】
一方、デジタル放送の受信強度が所定値より小さくなった場合は、システムコントローラ８は、そのときメモリ１１に記憶されているデータを表示制御回路９に供給することにより、現在受信中の放送局名や放送局ジャンル名をモニタ１０に表示する（ステップＳ５）。このとき、モニタ１０の表示態様（バックライトの表示色、表示文字のフォント、受信波形の表示など）をデジタル放送用からアナログ放送用に切り替える。そして、アナログ放送を受信して再生するようにチューナ２、デマルチプレクサ３およびデコーダ４を制御する（ステップＳ６）。
【００２９】
このアナログ放送の受信中に、システムコントローラ８は、操作部７の操作によってチャンネルの切替が行われたかどうかを監視する（ステップＳ７）。チャンネルの変更がない場合は更に、デジタル放送の受信強度が所定値より小さいままであるかどうかを判定する（ステップＳ８）。デジタル放送の受信強度が依然として所定値より小さい場合はステップＳ６に戻り、アナログ放送の再生を継続して行う。これにより、チャンネルの変更がない限り放送局名と放送局ジャンル名がモニタ１０に表示され続ける。
【００３０】
一方、デジタル放送の受信強度が所定値より大きくなった場合はステップＳ１に戻り、デジタル放送の再生を再開する。デジタル放送の再開後は、ステップＳ２において付随データをモニタ１０に表示する際に、当該モニタ１０の表示態様（バックライトの表示色、表示文字のフォント、受信波形の表示など）をアナログ放送用からデジタル放送用に戻す。
【００３１】
また、上記ステップＳ７でアナログ放送の受信中にチャンネルの変更があったと判断した場合、システムコントローラ８は、メモリ１１に記憶されているデータの表示制御回路９に対する供給を停止し、放送局名と放送局ジャンル名の表示をモニタ１０から消去する（ステップＳ９）。その後ステップＳ８に進み、デジタル放送の受信強度に応じてアナログ放送の受信を継続するかデジタル放送の再生を再開する。
【００３２】
図４は、上記システムコントローラ８による動作の他の例を示すフローチャートである。図４において、システムコントローラ８は、初期状態ではデジタル放送を受信して再生するようにチューナ２、デマルチプレクサ３およびデコーダ４を制御する（ステップＳ１１）。そして、そのデジタル放送中に含まれている付随データを表示制御回路９に供給して各種情報をモニタ１０に表示する（ステップＳ１２）。
【００３３】
また、システムコントローラ８は、受信中のデジタル放送に含まれている付随データ（現在受信中の放送局名や放送局ジャンル名、現在視聴中の曲名やアーティスト名、ジャンル名、アルバム名、曲の再生時間など）をメモリ１１に記憶する（ステップＳ１３）。このとき、付随データの内容は本放送番組の内容に応じて変化するが、少なくとも最新の情報をメモリ１１に記憶しておけば良い。
【００３４】
このデジタル放送の受信中に、システムコントローラ８は、デジタル放送の受信強度が所定値より小さくなったかどうかを監視する（ステップＳ１４）。受信強度が所定値より小さくなっていない場合はステップＳ１１に戻り、デジタル放送の再生を継続する。
【００３５】
一方、デジタル放送の受信強度が所定値より小さくなった場合は、システムコントローラ８は、そのときメモリ１１に記憶されているデータを表示制御回路９に供給して、現在受信中の放送局名や放送局ジャンル名、現在視聴中の曲名やアーティスト名、ジャンル名、アルバム名などをモニタ１０に表示する（ステップＳ１５）。このとき、モニタ１０の表示態様（バックライトの表示色、表示文字のフォント、受信波形の表示など）をデジタル放送用からアナログ放送用に切り替える。そして、アナログ放送を受信して再生するようにチューナ２、デマルチプレクサ３およびデコーダ４を制御する（ステップＳ１６）。
【００３６】
このアナログ放送の受信中に、システムコントローラ８は、メモリ１１に記憶されている曲の再生時間によって定められた切替タイミングになったかどうかを監視する（ステップＳ１７）。例えば、曲の再生時間が５分である場合に、その曲の開始から２分を経過した時点でデジタル放送からアナログ放送に切り替えられた場合は、残りの３分が経過したかどうかを判定する。
【００３７】
そして、この残り再生時間を経過したと判断した場合は、メモリ１１に記憶されている曲名、アーティスト名、ジャンル名、アルバム名などのデータの表示制御回路９に対する供給を停止し、こられの表示をモニタ１０から消去する（ステップＳ１８）。この表示消去後はステップＳ２１に進む。
【００３８】
一方、残りの再生時間をまだ経過していないと判断した場合、システムコントローラ８は更に、操作部７の操作によってチャンネルの切替が行われたかどうかを判定する（ステップＳ１９）。チャンネルの変更があった場合、システムコントローラ８は、メモリ１１に記憶されている放送局名と放送局ジャンル名のデータの表示制御回路９に対する供給を停止し、これらの表示をモニタ１０から消去する（ステップＳ２０）。この表示消去後はステップＳ２１に進む。
【００３９】
上記ステップＳ１８，Ｓ２０の処理後、または、上記ステップＳ１９でチャンネルの変更がないと判断した場合、システムコントローラ８は、デジタル放送の受信強度が所定値より小さいままであるかどうかを判定する（ステップＳ２１）。ここで、デジタル放送の受信強度が依然として所定値より小さい場合はステップＳ１６に戻り、アナログ放送の再生を継続して行う。
【００４０】
一方、デジタル放送の受信強度が所定値より大きくなった場合はステップＳ１１に戻り、デジタル放送の再生を再開する。デジタル放送の再開後は、ステップＳ１２において付随データをモニタ１０に表示する際に、当該モニタ１０の表示態様（バックライトの表示色、表示文字のフォント、受信波形の表示など）をアナログ放送用からデジタル放送用に戻す。
【００４１】
以上の動作により、デジタル放送からアナログ放送に切り替えられた後は、少なくとも現在視聴中の曲名やアーティスト名、ジャンル名、アルバム名などに関しては、メモリ１１に記憶されている付随データによってあらかじめ定められた切替タイミングまでモニタ１０に表示され続ける。さらに、チャンネルの変更がない限り放送局名と放送局ジャンル名とがモニタ１０に表示され続ける。
【００４２】
以上詳しく説明したように、本実施形態によれば、デジタル放送の受信時に画面表示されている付随データの少なくとも一部をメモリ１１に記憶しておき、デジタル放送からアナログ放送への切り替えが行われた後は、メモリ１１に記憶しておいた付随データに基づいて、デジタル放送の受信時に画面表示されていたデータの少なくとも一部を表示し続けるように制御している。
【００４３】
これにより、デジタル放送の受信が困難なエリアに入ってデジタル放送からアナログ放送への切り替えが行われた場合でも、チャンネルを変更しない限り放送局名や放送局ジャンル名などを表示し続けることができる。また、曲名やアーティスト名、ジャンル名などの情報に関しても、その曲の再生が終了するまでは表示し続けることができる。よって、デジタル放送からアナログ放送へ切り替えられた後も、ユーザは最低限の情報をモニタ１０上で確認することができる。
【００４４】
また、本実施形態では、デジタル放送の受信時とアナログ放送の受信時とで画面表示の態様（バックライトの表示色、表示文字のフォント、受信波形の表示など）を変えるようにしている。これにより、ユーザは、その画面表示を見るだけで、現在受信中の放送がデジタル／アナログの何れであるかを直感的に認識することができる。よって、デジタル放送からアナログ放送に切り替わったということをユーザが感覚的に認識できるようになる。
【００４５】
なお、上記実施形態では、モニタ１０に表示する付随データの例として放送局名、放送局ジャンル名、曲名、アーティスト名、ジャンル名、アルバム名を挙げたが、これらは単なる一例に過ぎず、本発明はこれに限定されるものではない。
【００４６】
また、上記実施形態では、デジタル放送の受信時とアナログ放送の受信時とでバックライトの表示色、表示文字のフォント、受信波形の表示を変える例について説明したが、変化させる画面表示の態様はこれに限定されるものではない。例えば、文字にて「デジタル放送」あるいは「アナログ放送」と表示するようにしても良い。
【００４７】
また、上記実施形態では、受信するデジタル放送の例としてＩＢＯＣを挙げて説明したが、本発明はこれに限定されるものではない。すなわち、音楽およびそれに付随するデータを含むデジタル放送を受信するとともに、当該デジタル放送の受信が困難なエリアにおいてアナログ放送に切り替えて受信するように成されたデジタル放送受信装置であれば、何れにも適用可能である。また、音声以外に映像を含むデジタル放送を受信する装置にも適用可能である。
【００４８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００４９】
【発明の効果】
本発明は上述したように、デジタル放送の受信時に画面表示されているデータの少なくとも一部を記録媒体に記憶しておき、デジタル放送からアナログ放送への切り替えが行われた後は、記録媒体に記憶しておいたデータを画面表示するようにしたので、デジタル放送の受信が困難なエリアに入ってデジタル放送からアナログ放送への切り替えが行われた場合でも最低限の情報を表示し続けることができるようになる。
【００５０】
また、本発明の他の特徴によれば、デジタル放送の受信時とアナログ放送の受信時とで画面表示の態様を変えるようにしたので、その画面表示を見るだけで現在受信中の放送がデジタル／アナログの何れであるかを認識することができ、デジタル放送からアナログ放送に切り替わったということをユーザが感覚的に認識できるようになる。
【図面の簡単な説明】
【図１】本実施形態によるデジタル放送受信装置の構成を示すブロック図である。
【図２】デジタル放送からアナログ放送への切替時にモニタに表示される画面の例を示す図である。
【図３】本実施形態によるデジタル放送受信装置の動作の一例を示すフローチャートである。
【図４】本実施形態によるデジタル放送受信装置の動作の他の例を示すフローチャートである。
【図５】ＩＢＯＣによるＦＭ／ＡＭスペクトラムを示す図である。
【符号の説明】
１　アンテナ
２　チューナ
３　デマルチプレクサ
４　デコーダ
５　音声処理回路
６　スピーカ
７　操作部
８　システムコントローラ
９　表示制御回路
１０　モニタ
１１　メモリ
【図１】
2004135219.tif 000003
【図２】
2004135219.tif 000004
【図３】
2004135219.tif 000005
【図４】
2004135219.tif 000006
【図５】
2004135219.tif 000007